【手続補正書】
【提出日】平成17年5月31日(2005.5.31)
【手続補正１】
【補正対象書類名】明細書
【補正対象項目名】発明の名称
【補正方法】変更
【補正の内容】
【発明の名称】情報処理システム
【手続補正２】
【補正対象書類名】明細書
【補正対象項目名】特許請求の範囲
【補正方法】変更
【補正の内容】
【特許請求の範囲】
【請求項１】
複数の店舗からなる１つ以上のグループに関する情報を管理するグループ情報管理手段、及び前記１つ以上のグループに含まれる全ての店舗の提供可能なサービスの課金情報を格納する課金情報格納手段を含む第１の情報処理装置と、前記課金情報格納手段に格納された前記サービスの課金情報を設定、或いは変更する課金情報管理手段を含む第２の情報処理装置とを具備することを特徴とする情報処理システム。
【請求項２】
請求項１に記載の情報処理システムにおいて、前記グループ情報管理手段は、前記複数の店舗の中から、所定のサービスの提供可能な店舗の組合せを管理することを特徴とする情報処理システム。
【請求項３】
請求項１または２に記載の情報処理システムにおいて、前記グループ情報管理手段は、各グループのID情報、名称、管理者、各グループの管理者のパスワード、各グループに含まれる全ての店舗のID情報、名称、管理者、及び各店舗の管理者のパスワードの少なくとも一つを管理することを特徴とする情報処理システム。
【請求項４】
請求項１〜３の何れか１項に記載の情報処理システムにおいて、前記グループ情報管理手段は、前記グループに関する情報を登録、修正、削除することを特徴とする情報処理システム。
【請求項５】
請求項１〜４の何れか１項に記載の情報処理システムにおいて、前記グループ情報管理手段は、前記情報処理システムの管理者に対してのみ前記グループに関する情報の管理を許可することを特徴とする情報処理システム。
【請求項６】
請求項１〜５の何れか１項に記載の情報処理システムにおいて、前記第１の情報処理装置は、前記グループ情報管理手段を用いて処理された内容を、該処理に関係するグループ及び店舗の管理者に対して通知することを特徴とする情報処理システム。
【請求項７】
請求項１〜６の何れか１項に記載の情報処理システムにおいて、前記課金情報管理手段は、各グループの提供可能なサービスの課金情報と、該サービスを構成する１つ以上の商品の課金情報とを設定、或いは変更することを特徴とする情報処理システム。
【請求項８】
請求項１〜７の何れか１項に記載の情報処理システムにおいて、前記課金情報管理手段は、各グループの提供可能なサービスに対して、店舗独自の課金情報の設定も可能であることを特徴とする情報処理システム。
【請求項９】
請求項１〜８の何れか１項に記載の情報処理システムにおいて、前記課金情報管理手段は、所定の店舗に対して独自に設定されたサービスの課金情報を、該店舗を含むグループの提供可能なサービスの課金情報に優先することを特徴とする情報処理システム。
【請求項１０】
請求項１〜９の何れか１項に記載の情報処理システムにおいて、前記課金情報管理手段は、前記サービスの課金情報の修正、削除、及び該グループにより新たに提供されるサービスの課金情報を登録することを特徴とする情報処理システム。
【請求項１１】
請求項１〜１０の何れか１項に記載の情報処理システムにおいて、前記課金情報管理手段は、所定のグループの提供可能なサービスの課金情報を管理するグループの管理者、或いは前記グループに含まれる所定の店舗の提供可能なサービスの課金情報を管理する店舗の管理者に対して前記サービスの課金情報の設定、或いは変更を許可することを特徴とする情報処理システム。
【請求項１２】
請求項１１に記載の情報処理システムにおいて、前記店舗管理者は、前記グループの管理者により許可された範囲内において、所定のグループの提供可能なサービスに対して店舗独自の課金情報を設定できることを特徴とする情報処理システム。
【請求項１３】
請求項１１または１２に記載の情報処理システムにおいて、前記第２の情報処理装置は、前記グループの管理者により設定、変更された内容を、該グループの管理者の管理するグループに含まれる店舗の管理者に通知することを特徴とする情報処理システム。
【請求項１４】
請求項１１または１２に記載の情報処理システムにおいて、前記第２の情報処理装置は、前記店舗の管理者により設定、変更された内容を、該店舗の管理者の管理する店舗の属するグループの管理者に通知することを特徴とする情報処理システム。
【請求項１５】
請求項１〜１４の何れか１項に記載の情報処理システムにおいて、前記サービスの課金情報は、基本料金と定量料金とにより構成されることを特徴とする情報処理システム。
【請求項１６】
請求項１〜１５の何れか１項に記載の情報処理システムにおいて、前記サービスの課金情報は、期間、或いは処理量により変動することを特徴とする情報処理システム。
【請求項１７】
請求項１〜１６の何れか１項に記載の情報処理システムにおいて、前記グループに含まれる店舗は、該グループに含まれる全ての店舗の提供可能なサービス以外のサービスも提供可能であることを特徴とする情報処理システム。
【請求項１８】
請求項１〜１７の何れか１項に記載の情報処理システムにおいて、前記サービスは、１つ以上の商品からなることを特徴とする情報処理システム。
【請求項１９】
請求項１〜１８の何れか１項に記載の情報処理システムにおいて、前記サービスは、所定の画像を１枚以上印刷するサービスであることを特徴とする情報処理システム。
【請求項２０】
請求項１〜１９の何れか１項に記載の情報処理システムにおいて、前記情報処理システムは、ローカルエリアネットワーク、或いはインターネットにより構成されることを特徴とする情報処理システム。
【請求項２１】
請求項１〜２０の何れか１項に記載の情報処理システムにおいて、前記第１の情報処理装置は更に、前記サービスの注文を受け、該サービスを処理するサービス処理手段を含むことを特徴とする情報処理システム。
【手続補正３】
【補正対象書類名】明細書
【補正対象項目名】０００１
【補正方法】変更
【補正の内容】
【０００１】
【発明の属する技術分野】
本発明は情報処理システムに関し、特に、店舗が提供するサービス（商品）の価格設定及び価格計算を行う情報処理装置上のアプリケーションプログラム、及び上記アプリケーションプログラムを含んだシステムに用いて好適な発明に関する。
【手続補正４】
【補正対象書類名】明細書
【補正対象項目名】００１１
【補正方法】変更
【補正の内容】
【００１１】
以上のような背景から本発明の日的は、価格体系の異なる複数の店舗において、各店舗の提供可能なサービスの課金情報を簡単に、且つ柔軟に一括して管理することができる情報処理システムを提供することである。
また、本発明の他の目的は、価格体系の異なる複数の店舗において、所定のサービスの提供可能な店舗の課金情報を一括に、或いは個別に設定、或いは変更することのできる情報処理システムを提供することである。
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】変更
【補正の内容】
【００１７】
【発明の実施の形態】
＜システム構成＞
図１は、本発明の情報処理システムの実施の形態を説明するシステム全体の構成図である。
図１中において、１００は接続装置であって、例えばローカルエリアネットワーク（LAN ）、インターネットなどのネットワークを表している。以下、上記接続装置１００を、単にネットワーク１００と記す。